(57)【要約】【課題】  ハロゲン化銀写真フィルムのフィルム断裁工程を常時監視可能とした監視システムを提供する。【解決手段】  暗室内に設置して広幅の元巻フィルムから複数の写真フィルム幅に断裁するフィルム断裁機のモニター表示入力部を暗室外の明室にも設置してフィルム断裁処理工程の監視を可能としたことを特徴とするフィルム断裁工程の監視システム。【選択図】        図３
2005329489.tif 000002
【特許請求の範囲】
【請求項１】
暗室内に設置して広幅の元巻フィルムから複数の写真フィルム幅に断裁するフィルム断裁機のモニター表示入力部を、暗室外の明室にも設置してフィルム断裁処理工程の監視を可能としたことを特徴とするフィルム断裁工程の監視システム。
【請求項２】
前記モニター表示入力部は、フィルム断裁処理条件及び／又はフィルム断裁処理状況の表示を行う制御がなされることを特徴とする請求項１に記載のフィルム断裁工程の監視システム。
【請求項３】
前記明室に設置されるモニター表示入力部は、暗室に設置されるモニター表示入力部と同じ機能を有していることを特徴とする請求項１に記載のフィルム断裁工程の監視システム。
【請求項４】
前記明室に設置されるモニター表示入力部は、モニター表示のみを行うことを特徴とする請求項１に記載のフィルム断裁工程の監視システム。
【請求項５】
前記モニター表示入力部にタッチパネルを使用することを特徴とする請求項１に記載のフィルム断裁工程の監視システム。
【発明の詳細な説明】
【技術分野】
【０００１】
本発明は、ハロゲン化銀写真フィルムの製造工程で用いられるフィルム断裁装置に設けたモニター表示部を用いてのフィルム断裁工程の監視システムに関する。
【背景技術】
【０００２】
従来、感光フィルムは広幅の長巻フィルム上にハロゲン化銀感光乳剤の塗布を行い、ハロゲン化銀感光乳剤が乾燥するのを待って巻き取られた広幅の元巻フィルムから複数本の使用する写真フィルム幅への断裁が行われ、巻取部に巻取ることが行われる。このフィルムの断裁作業を行うフィルム断裁機は、暗室内に設置されて断裁作業が行われる。特許文献１には、フィルム断裁装置によるフィルム断裁工程と、その後の作業の合理化を図る装置の提案がなされている。
【０００３】
一般に製造工程においてはその制御された進捗状況を監視し、工程中に事故の発生した場合には、監視して得た情報に基づいて事故に対応することが行われている。
【０００４】
特許文献２には、ワーク加工の作業工程を監視し、加工開始から終了までの１サイクルを単位として複雑な加工箇所には加工時間軸のサンプリング箇所を細かく取り、単純な加工箇所には加工時間軸のサンプリング箇所を粗く取るようにし、各サンプリング箇所において、サンプリングデータを記憶させると共に数値処理加工する技術が記載されている。
【０００５】
また、特許文献３には、制御対象とするプラント機器を運転するための工程フロー、表示させるメッセージ内容、メッセージ表示条件から成るメッセージ情報を備えた初期設定情報を有していて、この初期設定情報に基づいてプラント機器の運転を制御し、プラント機器の運転状況が初期設定情報と一致した場合には、そのメッセージ内容を表示部に表示することが記載されている。
【０００６】
フィルム断裁機にあっても、フィルム断裁に先立っては、フィルムの元巻長さ、フィルム搬送速度、フィルム巻取り長さ等の初期設定条件を予め設定し、断裁処理が行われる。これらの初期設定条件であるフィルム断裁条件の設定は、暗室内に位置したフィルム断裁機の枠体面、またはフィルム断裁機の近くに設置したモニター表示入力部に入力することによって行われ、またフィルム断裁の動作状態についてもモニター表示入力部に表示される。モニター表示入力部の表示にはタッチパネル等の表示手段が用いられる。
【特許文献１】特開平３−２２３０５７号公報
【特許文献２】特開２００２−３４１９０９号公報
【特許文献３】特開２００２−３２８７１８号公報
【発明の開示】
【発明が解決しようとする課題】
【０００７】
フィルム断裁の作業に当っては予め、モニター表示入力部によって、フィルム断裁処理条件の設定がなされるが、フィルム断裁の実作業に当っては室内を暗室状態とし、モニター表示入力部については電源を切ったり、前面を覆うフィルターを使用し、光量を落として使用していた。またオペレータはフィルム断裁機がスタートすると暗室外に出て、設定した長さのフィルム断裁が終わり機械が所定時間経過し、停止するのを待つことがなされていた。
【０００８】
従来の監視システムは次の問題点を有していた。
（１）フィルム断裁工程を常時監視するシステムが必要だが、ハロゲン化銀写真感光材料という光の存在を考慮しなくてはならないものの製造工程にモニターを用いて監視するのは製品の品質維持の視点から好ましくない。
（２）現状の断裁工程は、作業中はオペレータは暗室から退出しており、突発的なトラブルが発生した場合、対処することができないケースが多い。
【０００９】
本発明は、ハロゲン化銀写真感光材料をかぶらせるような事態を誘因させない状況下で、フィルム断裁工程を常時監視することを可能としたフィルム断裁工程の監視システムを提供することを目的とする。
【課題を解決するための手段】
【００１０】
前記の課題を解決し、かつ目的を達成するために本発明は以下のように構成している。
【００１１】
（請求項１）
暗室内に設置して広幅の元巻フィルムから複数の写真フィルム幅に断裁するフィルム断裁機のモニター表示入力部を、暗室外の明室にも設置してフィルム断裁処理工程の監視を可能としたことを特徴とするフィルム断裁工程の監視システム。
【００１２】
（請求項２）
前記モニター表示入力部は、フィルム断裁処理条件及び／又はフィルム断裁処理状況の表示を行う制御がなされることを特徴とする請求項１に記載のフィルム断裁工程の監視システム。
【００１３】
（請求項３）
前記明室に設置されるモニター表示入力部は、暗室に設置されるモニター表示入力部と同じ機能を有していることを特徴とする請求項１に記載のフィルム断裁工程の監視システム。
【００１４】
（請求項４）
前記明室に設置されるモニター表示入力部は、モニター表示のみを行うことを特徴とする請求項１に記載のフィルム断裁工程の監視システム。
【００１５】
（請求項５）
前記モニター表示入力部にタッチパネルを使用することを特徴とする請求項１に記載のフィルム断裁工程の監視システム。
【発明の効果】
【００１６】
本発明によるときは、明室にモニター表示入力部を設け、フィルム断裁工程を監視するようにすることによって、断裁処理を行うハロゲン化銀写真感光材料をかぶらせるような事態が発生する心配がなくなり、常時監視することが可能となったので、突発的なトラブルに対しても速やかに対応ができるようになった。
【発明を実施するための最良の形態】
【００１７】
本発明の説明に先だって、暗室内に設定されるフィルム断裁機について説明する。図１に示すのは、フィルム断裁機の構成を示す断面図で、図２に示すのは、フィルム断裁機の正面図である。
【００１８】
図１において、元巻架台１１０に回動可能に担時されている広幅のハロゲン化銀写真フィルムの元巻部１１からは、広幅フィルムはモータ駆動により回転する送り出しローラ１２Ａ、１２Ｂと、テンションローラ１４により搬送され、スリットカッタ上刃１３ａとスリットカッタ下刃１３ｂとより成るスリッタ１３へと搬送される。広幅フィルムは同一平面上に等間隔で配設された多数のスリットカッタ上刃１３ａとスリットカッタ下刃１３ｂとの回転によって、同寸法の帯状のスリットフィルムに断裁され、テンションローラ１４を経て巻取部１５へと搬送される。
【００１９】
なお、スリッタ１３によって断裁されたスリットフィルムは、搬送時に隣り合う帯状のスリットフィルムが、互いに重なり合ったり傷付けられたりしないように、スリットフィルムは順次１つ置きに上下に振り分けられて搬送され、テンションローラ１４ａ、１４ｂを経て巻取部１５の上下２段に分けて配設された上段巻取部１５Ａの上段巻取軸１６Ａと下段巻取部１５Ｂの下段巻取軸１６Ｂにそれぞれ巻回されるようになっている。
【００２０】
かかる構成で作動を行うフィルム断裁機１０の部材は、枠体１０Ａによって両側から支持されて作動を行っている。そして本実施例においては、図２に示す如く、枠体１０Ａ前面には操作釦を含むモニター表示入力部３０Ａが設けられている。モニター表示入力部３０Ａではフィルム断裁処理条件、例えば断裁スピードをはじめとして元巻部１１にセットしたフィルム長、元巻部１１におけるフィルム張力、巻取部１５にセットするフィルム長、巻取トルク等が設定される。またモニター表示入力部３０Ａのモニター表示部３１Ａではフィルム断裁処理条件のほか、現時点での巻取フィルム長や、元巻部１１でのフィルム残長、巻取部１５での現時点でのトルク等のフィルム断裁処理状況の表示と共に、フィルム搬送不良等のトラブル発生状況や乳剤の塗布不良箇所の通過状況が表示される。
【００２１】
モニター表示入力部３０Ａの表示や入力は、制御部２０との接続のもとに行われる。図３はフィルム断裁機１０の制御回路を示すブロック図である。２１は演算制御処理を行うＣＰＵで、ＲＡＭ２１１、ＲＯＭ２１２と接続し、ＣＰＵ２１はインターフェース２２を介して外部機器であるフィルム断裁機１０に接続している。
【００２２】
ＲＯＭ２１２には、演算基礎データをはじめ断裁条件設定プログラムや、断裁動作プログラムが記憶されている。インターフェース２２の出力側にはフィルム断裁機１０の駆動手段１０Ｍが接続され、インターフェース２２の入力側には、フィルムの搬送状況を検知する検知センサや、乳剤の塗布不良箇所の検知センサ等の検知手段１０Ｓが接続されている。フィルム搬送状況の検知はフィルムテンションやフィルムのサイドエッジを検知すること等によって行われ、乳剤の塗布不良箇所の検知は予め乳剤の塗布不良箇所のフィルムの側端部に貼付けた金属薄片を検知することによって行われる。
【００２３】
本発明においては、ＣＰＵ２１は暗室内に設置されたモニター表示入力部３０Ａの外に明室内に設置する操作釦を含むモニター表示入力部３０Ｂが分岐回路３３を介して有線又は無線によって接続されている。
【００２４】
第１の実施例においては、モニター表示入力部３０Ｂはモニター表示入力部３０Ａと同一機能を有していて、モニター表示入力部３０Ｂのモニター表示部３１Ｂにはタッチパネルが用いられていて、モニター表示入力部３０Ａのモニター表示部３１Ａにおけると同じモニター情報の表示が行われる。またモニター表示入力部３０Ａとモニター表示入力部３０Ｂとの間には切替手段が設けられていて、モニター表示入力部３０Ｂからもモニター表示入力部３０Ａにおけると同じように、フィルム断裁処理条件等の入力ができる構成としている。
【００２５】
第２の実施例においては、モニター表示入力部３０Ｂにはモニター表示部３１Ｂだけが設けられていて、モニター表示入力部３０Ａのモニター表示部３１Ａと同じモニター情報の表示がなされる。本実施例においては、モニター表示入力部３０Ｂには入力部（操作釦）を有していないで、モニター表示部３１Ｂによって主としてフィルム断裁工程の監視がなされる構成としている。
【００２６】
上記の制御系を有したフィルム断裁機で、フィルム断裁処理に先立っては、フィルムの断裁処理条件の設定が行われる。
【００２７】
ＣＰＵ２１はＲＯＭ２１２に記録された断裁条件設定プログラムを呼び出してモニター表示部３１Ａ、３１Ｂに断裁処理条件についての表示を行い、モニター表示入力部３０Ａ、３０Ｂでオペレータによって断裁処理条件について数値入力がなされる。入力された断裁処理条件はＲＡＭ２１１に記憶される。
【００２８】
断裁処理条件の設定がなされ、スタート釦が押釦されると、ＣＰＵ２１はＲＯＭ２１２から断裁動作プログラムを呼び出してフィルム断裁機１０の駆動手段１０Ｍを制御して、断裁処理条件の設定された断裁スピードでフィルムの搬送、断裁、巻取が行われるよう制御が行われる。
【００２９】
ＣＰＵ２１はタイマを内蔵していて、フィルム断裁始動時刻とフィルムの断裁スピードとから現時点における巻取部１５２でのフィルム巻取量、元巻部１１でのフィルム残長、設定されたフィルム巻取量が巻取部１５で巻取られるまでの必要時間等の演算処理がなされて、フィルム搬送中のトルク状態等と共にモニター表示部３１Ａ、３１Ｂにフィルム断裁処理状態の表示がなされる。
【００３０】
また、フィルム断裁処理中には、検知手段１０Ｓによってフィルム搬送状況や乳剤の塗布不良箇所の検知が行われ、フィルムテンション異常検知等によってトラブル発生状況の表示が、また塗布不良箇所の検知によって乳剤塗布故障部分通過状況の表示がモニター表示部３１Ａ、３１Ｂに表示される。
【００３１】
オペレータは本発明により、暗室内のモニター表示部３１Ａの表示を停止し、明室においてモニター表示部３１Ｂによってフィルム断裁工程の監視を常時継続して行うことができる。
【図面の簡単な説明】
【００３２】
【図１】フィルム断裁機の構成を示す側断面図。
【図２】フィルム断裁機の正面図。
【図３】フィルム断裁機の制御回路を示すブロック図。
【符号の説明】
【００３３】
１０  フィルム断裁機
１０Ａ  枠体
１１  元巻部
１２  送り出しローラ
１３  スリッタ
１４  テンションローラ
１５  巻取部
１５Ａ  上段巻取部
１５Ｂ  下段巻取部
１６Ａ，１６Ｂ  巻取軸
２０  制御部
２１  ＣＰＵ
２２  インターフェース
２１１  ＲＡＭ
２１２  ＲＯＭ
３０Ａ、３０Ｂ  モニター表示入力部
３１Ａ、３１Ｂ  モニター表示部
【図１】
2005329489.tif 000003
【図２】
2005329489.tif 000004
【図３】
2005329489.tif 000005